(57)【要約】  本発明の電線用カートリッジ装置１は、巻回状の電線束３を収容する上面開放の収容ケース部５と、自重で電線束３を押さえる押さえ蓋７とを備え、収容ケース部５は、電線束３が載置される底部５ａと、底部５ａに立設され電線束３が環装される軸部５ｂと、底部５ａに立設され電線束３を取り囲む周壁部５ｃとを有し、押さえ蓋７は、軸部５ｂの外周に上下動自在に外嵌合する嵌合孔を有し、軸部５ｂは、押さえ蓋７の脱抜防止用の係合部５ｍを有し、押さえ蓋７は、軸部５ｂの係合部５ｍと係合する被係合部７ｃを有する。
2008072320.tif 000002
【特許請求の範囲】
【請求項１】
巻回状の電線束を収容する上面開放の収容ケース部と、
自重で前記電線束を押さえる押さえ蓋とを備え、
前記収容ケース部は、
前記電線束が載置される底部と、
前記底部に立設され、前記電線束が環装される軸部と、
前記底部に立設され、前記電線束を取り囲む周壁部とを有し、
前記押さえ蓋は、前記軸部の外周に上下動自在に外嵌合可能な嵌合孔を有し、
前記軸部は、前記押さえ蓋の脱抜防止用の係合部を有し、
前記押さえ蓋は、前記軸部の前記係合部と係合する被係合部を有することを特徴とする電線用カセットリール装置。
【請求項２】
前記軸部の係合部は、前記軸部の外周面に形成された凹状溝部であり、前記凹状溝部は、その一端が前記軸部の上面で開放されその一端から下方に延設されその他端側が前記軸部の周方向に屈曲された屈曲溝部と、前記屈曲溝部の前記他端から下方に延設された縦溝部とを有し、
前記押さえ蓋の被係合部は、当該嵌合孔の内周面に凸形成された凸部であり、
前記凸部は、前記凹状溝部の前記縦溝部内に配置する様に前記凹状溝部と係合されることを特徴とする請求項１に記載の電線用リールカセット装置。
【請求項３】
前記収容ケース部は、前記周壁部の内側に前記電線束の電線端部を保持する電線保持部を有することを特徴とする請求項１または２に記載の電線用リールカセット装置。
【請求項４】
前記収容ケース部の下面に、前記軸部の上部と嵌合可能な嵌合凹部が形成されていることを特徴とする請求項１〜３の何れかに記載の電線用リールカセット装置。
【請求項５】
前記収容ケース部の下面の前記嵌合凹部に、別の前記収容ケース部の前記軸部の先端が嵌合した状態で、前記収容ケース部の下面と前記別の収容ケース部の前記周壁部の上面との間に隙間が確保されることを特徴とする請求項４に記載の電線用リールカセット装置。
【発明の詳細な説明】
【技術分野】
【０００１】
本発明は、電線束からの電線を所定の電線処理装置に供給する際等に、当該電線束を絡ませないで配置させて置く技術に関する。
【背景技術】
【０００２】
従来の電線用カートリッジ装置１００は、図１２の様に、底部１０１ａに軸部１０１ｂが立設された装置本体１０１と、軸部１０１ｂに上下動自在に環装される円還板状の押さえ板１０２と、軸部１０１ｂの上端に固定される固定蓋１０３とを備えている。【０００３】
この電線用カートリッジ装置１００では、環状の電線束１０４を軸部１０１ｂに環装した状態で底部１０１ａ上に配置し、押さえ板１０２を軸部１０１ｂに上下動自在に環装させた状態で電線束１０４上に配置し、その状態で固定蓋１０３を軸部１０１ｂの上部に固定する様になっている。そして、電線１０４ａの端部が上方に引き出されることで、電線束１０４の上面側から電線１０４ａが繰り出される様になっている。その際、押さえ板１０２によって電線束１０４が押さえられていることで、電線束１０４から引き出された電線１０４ａの絡みが防止されており、また固定蓋１０３が軸部１０１ｂに固定されていることで、押さえ板１０２が軸部１０１ｂから脱抜することが防止されている（例えば日本国特許第２７６３０６５号公報）。【０００４】
上記の電線用カートリッジ装置１００では、押さえ板１０２の脱抜防止のために固定蓋１０３を必要とするので、部品数が多くなるという問題点がある。【０００５】
また電線束１０４の外周面が露出しているので、電線束１０４が緩んで装置の外側にこぼれる場合があるという問題点がある。
【発明の開示】
【０００６】
本発明は、上記のような問題点を解決すべく、部品数を低減でき、且つ電線束が装置の外側にこぼれることを防止できる電線用カートリッジ装置を提供することを目的とする。
【０００７】
本発明の第１の態様は、巻回状の電線束を収容する上面開放の収容ケース部と、自重で前記電線束を押さえる押さえ蓋とを備え、前記収容ケース部は、前記電線束が載置される底部と、前記底部に立設され、前記電線束が環装される軸部と、前記底部に立設され、前記電線束を取り囲む周壁部とを有し、前記押さえ蓋は、前記軸部の外周に上下動自在に外嵌合可能な嵌合孔を有し、前記軸部は、前記押さえ蓋の脱抜防止用の係合部を有し、前記押さえ蓋は、前記軸部の前記係合部と係合する被係合部を有するものである。
【０００８】
この態様によれば、底部に周壁部が立設されているので、電線束が当該装置の外側にこぼれる事を防止できる。
【０００９】
また、本発明の第２の態様は、前記軸部の係合部は、前記軸部の外周面に形成された凹状溝部であり、前記凹状溝部は、その一端が前記軸部の上面で開放されその一端から下方に延設されその他端側が前記軸部の周方向に屈曲された屈曲溝部と、前記屈曲溝部の前記他端から下方に延設された縦溝部とを有し、前記押さえ蓋の被係合部は、当該嵌合孔の内周面に凸形成された凸部であり、前記凸部は、前記凹状溝部の前記縦溝部内に配置する様に前記凹状溝部と係合されるものである。
【００１０】
この態様によれば、軸部の係合部は屈曲溝部および縦溝部を有する凹状溝部として形成され、押さえ蓋の被係合部は前記凹状溝部に係合する凸部として形成されるので、簡単な構造で、押さえ蓋と軸部とを脱抜防止状に係合できる。特に屈曲溝部により押さえ蓋の軸部からの脱抜が防止され、縦溝部により押さえ蓋の上下動自在が確保されている。
【００１１】
また、本発明の第３の態様は、前記収容ケース部は、前記周壁部の内側に前記電線束の電線端部を保持する電線保持部を有するものである。
【００１２】
この態様によれば、収容ケース部は周壁部の内側に電線束の電線端部を保持する電線保持部を有するので、その電線保持部に電線端部を保持させておくことで、電線端部を容易に探す事ができ、作業性を向上できる。
【００１３】
また、本発明の第４の態様は、前記収容ケース部の下面に、前記軸部の上部と嵌合可能な嵌合凹部が形成されているものである。
【００１４】
この態様によれば、収容ケース部の下面に、軸部の上部と嵌合可能な嵌合凹部が形成されているので、その嵌合構造を利用して、複数の当該装置を上下に連結させて配置させる事ができる。
【００１５】
また、本発明の第５の態様は、前記収容ケース部の下面の前記嵌合凹部に、別の前記収容ケース部の前記軸部の先端が嵌合した状態で、前記収容ケース部の下面と前記別の収容ケース部の前記周壁部の上面との間に隙間が確保されるものである。
【００１６】
この態様によれば、当該装置の収容ケース部の下面の嵌合凹部に、別の当該装置の収容ケース部の軸部の上部を嵌合させたときに、当該装置の収容ケース部の下面と別の当該装置の収容ケース部の周壁部の上面との間に隙間が確保されるので、その隙間から別の当該装置の収容ケース部内の電線束の電線端部を外に引き出して置く事ができ、作業性を向上できる。
【図面の簡単な説明】
【００１７】
【図１】実施の形態１に係る電線用リールカセット装置１の斜視図である。
【図２】図１のII-II断面図である。
【図３】実施の形態１における収容ケース部５の斜視図である。
【図４】図３の矢示IV方向から見た図（平面図）である。
【図５】図３の矢示V方向から見た図（底面図）である。
【図６】実施の形態１における押さえ蓋７の平面図である
【図７】図６のVII-VII断面図である。
【図８】実施の形態１に係る電線用リールカセット装置１ａ，１ｂを上下に連結した状態の断面図である。
【図９】実施の形態２に係る電線用リールカセット装置１Ｂの平面図である。
【図１０】図９のIX-IX断面図である。
【図１１】実施の形態２に係る電線用リールカセット装置１Ｂａ，１Ｂｂを上下に連結した状態の断面図である。
【図１２】従来の電線用リールカセット装置１００の断面図である。
【発明を実施するための最良の形態】
【００１８】
＜実施の形態１＞
この実施の形態に係る電線用リールカセット装置１は、図１の様に、巻回状の電線束を収容する上面開放の収容ケース部５と、自重で前記電線束を押さえる押さえ蓋７とを備えている。【００１９】
収容ケース部５は、図１〜図５の様に、例えば平面視略円形状に形成されており、電線束３が載置される略円環板状の底部５ａと、底部５ａの中央に立設され、電線束３が環装される円柱形の軸部５ｂと、底部５ａの周縁に立設され、電線束３を取り囲む周壁部５ｃとを有している。【００２０】
底部５ａの直径は、電線束３の直径よりも若干大きく形成されている。そして、底部５ａの上面における周壁部５ｃの内側に、電線束３の電線端部を保持するための電線保持部５ｄが設けられている。ここでは、電線保持部５ｄは、周壁部５ｃの内側面に近接する様に底部５ａ上に立設された例えば山形状の垂直板部として形成されており、周壁部５ｃとの間で電線端部を狭持することで、電線端部を保持する様になっている。この電線保持部５ｄは、底部５ａ上の例えば対称的な位置に２つ設けられている。【００２１】
底部５ａの上面上には、強度補強のために、円還状のリブ５ｆが同心円状に複数形成されると共に、直線状のリブ５ｇが放射状に複数形成されている。【００２２】
周壁部５ｃは、電線束３の高さよりも高く形成されている。また周壁部５ｃには、手で持つための開口部５ｈが例えば対称的な配置に２つ設けられている。【００２３】
また周壁部５ｃの外周面には、例えば略矩形形状のシート状の識別札（不図示）を保持するための識別札用ポケット部５ｉが形成されている。【００２４】
識別札用ポケット部５ｉは、識別札の両側２辺の周縁をガイドする一対の凹状の垂直ガイド部５ｉ１と、識別札の下辺の位置を規定する水平ガイド部５ｉ２とを有しており、識別札の両側の辺をそれぞれ両側の垂直ガイド部５ｉ１内に挿入して、識別札の下辺が水平ガイド部ｉ２に至るまで、識別札を垂直ガイド部５ｉ１に沿って押し込むことで、識別札が当該識別札用ポケット部５ｉ内に保持される様になっている。【００２５】
軸部５ｂは、周壁部５ｃよりも高く形成されている。また軸部５ｂは、その基端部の直径Ｒ１が電線束３の中心孔３ａの内径Ｒ３と略同径に形成されており（図２）、その上端部側に行くほどその直径が小さくなる様にテーパ状に形成されている。【００２６】
軸部５ｂの外周面には、押さえ蓋７の脱抜防止用の係合部５ｍが形成されている。係合部５ｍは、例えば凹状溝部（以後、凹状溝部５ｍと呼ぶ）として形成されている。この凹状溝部５ｍは、その一端５ｎが軸部５ｂの上面で開放され（以後、開放端５ｎと呼ぶ）、その開放端５ｎから下方に延設されてその他端５ｐ側が軸部５ｂの周方向に屈曲された屈曲溝部５ｑと、屈曲溝部５ｑの他端５ｐから下方に延設されその下端５ｒが軸部５ｂの中間辺りに位置する縦溝部５ｓとを有している。この凹状溝部５ｍは、軸部５ｂの外周面の例えば対称的な位置に２つ形成されている。【００２７】
収容ケース部５の下面には、その中央に、軸部５ｂの上部と嵌合可能な嵌合凹部５ｔが形成されている。これにより、当該装置１（以後、装置１ａと呼ぶ）の軸部５ｂの上部と別の当該装置１（以後、装置１ｂと呼ぶ）の収容ケース部５の下面の嵌合凹部５ｔとを嵌合させることで、２つの装置１ａ，１ｂを上下に連結させる事ができる。【００２８】
ここでは、嵌合凹部５ｔは、軸部５ｂの内部の下面開放の中空が利用されて形成されている。即ち嵌合凹部５ｔは、軸部５ｂの内周面に、嵌合凹部５ｔの深さを設定するための補強壁５ｕが設けられて形成されている。ここでは補強壁５ｕは、例えば平面視十字状の垂直壁として形成されている。即ち補強壁５ｕの下端５ｕ１により嵌合凹部５ｔの深さが設定されている。【００２９】
また嵌合凹部５ｔの内周面には、軸部５ｂとの嵌合時に軸部５ｂの凹状溝部５ｍの開放端５ｎに嵌挿して、周方向の位置決めをする位置決め突起５ｙが形成されている。この位置決め突起５ｙは、例えば縦方向に延びた２本の直線状のリブ５ｙ１，５ｙ２により構成されている。ここでは、位置決め突起５ｙは、嵌合凹部５ｔの内周面の例えば対称的な位置に２つ形成されている。【００３０】
押さえ蓋７は、図２、図６および図７の様に、収容ケース部５の周壁部５ｃの内径Ｒ２よりも小さな直径Ｒ４を有する円板状に形成されており、その中央に、軸部５ｂの外周に上下動自在に外嵌合可能な嵌合孔７ａを有している。【００３１】
押さえ蓋７の周縁には、その下面に丸みを付けるために上方に湾曲する上方湾曲部７ｂが形成されている。これにより電線が滑らかに引き出される様になる。【００３２】
嵌合孔７ａの内周面には、軸部５ｂの係合部（凹状溝部）５ｍと係合する被係合部７ｃが形成されている。ここでは、被係合部７ｃは、嵌合孔７ａの内周面から突出した凸部（以後、凸部７ｃと呼ぶ）として形成されている。この凸部７ｃは、嵌合孔７ａの内周面の例えば対称的な位置に２つ形成されている。【００３３】
押さえ蓋７には、電線束３の残量確認用の開口部７ｆが、例えば対称的な位置に２つ形成されている。また各開口部７ｆの周縁には、電線束３の残量を定量的に確認するための目盛り７ｇが設けられている。【００３４】
押さえ蓋７の上面には、強度補強のために、円還状のリブ７ｄが同心円状に１つ以上形成されると共に、直線状のリブ７ｅが放射状に１つ以上形成されている。【００３５】
次にこの電線用リールカセット装置１の使い方を説明する。図２を参照して、まず巻回状の電線束３を、収容ケース部５内の軸部５ｂに環装する様に収容ケース部５内に収容配置する。そして、電線束３の両方の電線端部（始端部および終端部）をそれぞれその先端が収容ケース部５の外に配置する様に各電線保持部５ｄに保持させる。【００３６】
そして、押さえ蓋７を軸部５ｂの外周に上下動自在に脱抜防止状に環装させる。即ち、押さえ蓋７の凸部７ｃを軸部５ｂの凹状溝部５ｍの開放端５ｎから凹状溝部５ｍ内に挿入して凹状溝部５ｍの屈曲溝部５ｑを経て凹状溝部５ｍの縦溝部５ｓ内に配置させる様にして、押さえ蓋７を軸部５ｂの外周に環装させる。尚、縦溝部５ｓにより押さえ蓋７の上下動自在が確保されており、屈曲溝部５ｑにより押さえ蓋７の軸部５ｂからの脱抜が防止されている。【００３７】
この状態では、押さえ蓋７は、電線束３上に配置し自重で電線束３を押さえている。また、収容ケース部５の周壁部５ｃと押さえ蓋７との間の隙間Ｓ１から外に前記電線端部が引き出された状態になっている。【００３８】
そして、電線端部（始端部）を電線保持部５ｄから外しその電線端部を上方に引き出すことで、電線束３の上面側から順に電線が繰り出されて行く。その間、電線束３は、押さえ蓋７により上から押さえらえており、電線の絡みが防止されている。【００３９】
また図８の様に、電線用リールカセット装置１（１ａ）の収容ケース部５の下面の嵌合凹部５ｔに、別の電線用リールカセット装置１（１ｂ）の収容ケース部５の軸部５ｂの上部を嵌合させることで、装置１ａと装置１ｂとを上下に連結できる様になっている。【００４０】
そしてその嵌合状態では、装置１ａの嵌合凹部５ｔの内周面上のストッパ部７ｙが装置１ｂの軸部５ｂの外周面上の凹状溝部５ｍの開放端５ｎに嵌挿されて、装置１ａ，１ｂの相互間の周方向の位置が位置決めされる。またその嵌合状態では、装置１ａの収容ケース部５の下面と装置１ｂの周壁部５ｃの上面との間に隙間Ｓ２が確保されており、その隙間Ｓ２から装置１ｂ内からの電線端部が外に引き出される様になっている。【００４１】
以上の様に構成された電線用リールカセット装置１によれば、底部５ａに周壁部５ｃが立設されているので、電線束３が当該装置１の外側にこぼれる事を防止できる。【００４２】
また、軸部５ｂの係合部５ｍと押さえ蓋７の被係合部７ａとの係合により押さえ蓋７の軸部５ｂからの脱抜が防止されるので、従来装置１００と違って固定蓋１０３を用いずに押さえ蓋７（従来装置１００の押さえ板１０２に対応するもの）の脱抜を防止でき、部品数を低減できる。【００４３】
また、軸部５ｂの係合部５ｍは屈曲溝部５ｑおよび縦溝部５ｓを有する凹状溝部として形成され、押さえ蓋７の被係合部７ｃは前記凹状溝部に係合する凸部として形成されるので、簡単な構造で、押さえ蓋７と軸部５ｂとを脱抜防止状に係合できる。特に屈曲溝部５ｑにより押さえ蓋７の軸部５ｂからの脱抜が防止され、縦溝部５ｓにより押さえ蓋７の上下動自在が確保されている。【００４４】
また、収容ケース部５は周壁部５ｃの内側に電線束３の電線端部を保持する電線保持部５ｄを有するので、その電線保持部５ｄに電線端部を保持させておくことで、電線端部を容易に探す事ができ、作業性を向上できる。【００４５】
また、収容ケース部５は平面視略円形状に形成されているので、角部が無く省スペース化できる。【００４６】
また、押さえ蓋７には電線束３の残量確認用の開口部７ｆが形成されているので、押さえ蓋７を外さなくても電線束３の残量を確認できる。【００４７】
また、収容ケース部５の下面に、軸部５ｂの上部と嵌合可能な嵌合凹部５ｔが設けられているので、その嵌合構造を利用して、複数の当該装置１を上下に連結させて配置させる事ができる。【００４８】
また、装置１（１ａ）の収容ケース部５の下面の嵌合凹部５ｔに、別の装置１（１ｂ）の収容ケース部５の軸部５ｂの上部が嵌合したときに、装置１ａの収容ケース部５の下面と別の装置１ｂの収容ケース部５の周壁部５ｃの上面との間に隙間Ｓ２が確保されるので、その隙間Ｓ２から別の装置１ｂの収容ケース部５内の電線束３の電線端部を外に引き出して置く事ができ、作業性を向上できる。【００４９】
＜実施の形態２＞
この実施の形態に係る電線用リールカセット装置１Ｂは、上記の実施の形態１において、主に、収容ケース部５の平面視形状を略円形から略矩形（ここでは正方形）に変更し、且つ２つの当該装置１ａ，１ｂの連結構造を装置１ａの収容ケース部５の下面と装置１ｂの軸部５ｂの上部とを連結する連結構造から装置１ａの収容ケース部５の下面と装置１ｂの周壁部５ｃの上部とを連結する連結構造に変更したものである。【００５０】
以下、図９〜図１１に基づき、この実施の形態に係る電線用リールカセット装置１Ｂについて、上記の実施の形態１に係る電線用リールカセット装置１と異なる点を中心に説明する。【００５１】
この実施の形態の収容ケース部５は、図９の様に平面視略矩形（ここでは正方形）に形成されている。【００５２】
そして図１０の様に、周壁部５ｃの上端には、別の収容ケース部５の下部と嵌合可能な嵌合部５ｖが形成されている。ここでは、この嵌合部５ｖは、嵌合時に別の収容ケース部５の下面の周縁部分と当接する水平面部５ｖ１と、嵌合時に別の収容ケース部５の外周面の下縁部分と当接する垂直面部５ｖ２とを有している。また嵌合部５ｖの上端には、別の収容ケース部５の後述のストッパ部５ｗと当接する当接部５ｚが外方に突出形成されている。ここでは、この嵌合部５ｖおよび当接部５ｚは、周壁部５ｃの周方向に沿って環状に形成されている。【００５３】
また軸部５ｂは、例えば嵌合部５ｖと同じ高さまたは嵌合部５ｖよりも低く形成されている。【００５４】
また周壁部５の外周面には、嵌合時に別の収容ケース部５の当接部５ｚの上面と当接するストッパ部５ｗが外方に突出形成されている。ここでは、このストッパ部５ｗは周壁部５の周方向に沿って環状に形成されている。【００５５】
また嵌合部５ｖの水平面部５ｖ１における識別札用ポケット部５ｉの上方に位置する部分には、識別札の識別札用ポケット部５ｉへの通り道を確保するためのスリット状の開口部５ｘが形成されている。【００５６】
また底面５ａ上には、格子状のリブ５ｅと対角線状のリブ５ｅ２が形成されている。【００５７】
また軸部５ｂの内面には、天井面から内周面に至るように補強リブ５ｊが十字状に形成されている。【００５８】
尚、この実施の形態の収容ケース部５における他の構成部分は、上記の実施の形態１の収容ケース部５と同様に構成されているので、同一構成部分には同一符号を付して説明を省略する。【００５９】
また、この実施の形態の押さえ蓋７は、上記の実施の形態１の押さえ蓋７と比べて、リブ７ｅ，７ｄが無い点が異なる以外同様に構成されているので、同一構成部分に同一符号を付して説明を省略する。【００６０】
この電線用リールカセット装置１Ｂ（以後、装置１Ｂａと呼ぶ）では、装置１Ｂａの収容ケース部５の下部を別の装置１Ｂ（以後、装置１Ｂｂと呼ぶ）の収容ケース部５の嵌合部５ｖに嵌合させることで、装置１Ｂａが装置１Ｂｂの内部に落ちない様に装置１Ｂａと装置１Ｂｂとが上下に連結される。この連結状態では、装置１Ｂａの収容ケース部５のストッパ部５ｗが装置１Ｂｂの当接部５ｚに当接し、これによっても装置１Ｂａが装置１Ｂｂの内部に落ちる事が防止されている。【００６１】
以上の様に構成された電線用リールカセット装置１Ｂによれば、周壁部５ｃの上部に収容ケース部５の下部と嵌合可能な嵌合部５ｖが設けられているので、その嵌合構造を利用して、複数の当該装置１Ｂを上下に連結させて配置させる事ができる。【００６２】
また、収容ケース部５にストッパ部５ｗおよび当接部５ｚが形成されるので、複数の装置１Ｂを上下に嵌合させたときに、上側の装置１Ｂが下側の装置１Ｂ内に落ちる事が防止できる。【００６３】
また、収容ケース部５の周壁部５ｃにて別の装置１Ｂの収容ケース部５の下部との嵌合を行うので、複数の装置１Ｂを安定性良く上下に嵌合できる。【００６４】
また、収容ケース部５は平面視略矩形状に形成されているので、複数の当該装置１Ｂを横に並べたときに、特定の側面（例えば識別札の付いた面）を同じ側に揃えて並べ易くなり、作業性を向上できる。【００６５】
尚、この実施の形態では、２つの装置１Ｂを上下に嵌合させたときに、それら２つの装置１Ｂの間には、下側の装置１Ｂ内の電線束からの電線端部を外に引き出すための隙間（上記の実施の形態１の場合の隙間Ｓ２）が確保できない点を除いて、上記の実施の形態１の場合と実質的に同じ機能および効果を有している。【００６６】
尚、この実施の形態において更に、実施の形態１の様に、収容ケース部５の下面に軸部５ｂの上部と嵌合可能な嵌合凹部を設けて、その嵌合構造をも利用して、複数の当該装置Ｂ１を上下に連結させる様にしてもよい。
【図１】
2008072320.tif 000003
【図２】
2008072320.tif 000004
【図３】
2008072320.tif 000005
【図４】
2008072320.tif 000006
【図５】
2008072320.tif 000007
【図６】
2008072320.tif 000008
【図７】
2008072320.tif 000009
【図８】
2008072320.tif 000010
【図９】
2008072320.tif 000011
【図１０】
2008072320.tif 000012
【図１１】
2008072320.tif 000013
【図１２】
2008072320.tif 000014
【国際調査報告】
2008072320.tif 000015
2008072320.tif 000016
2008072320.tif 000017
2008072320.tif 000018